(57)【要約】      （修正有）【課題】荷物の積み降ろしが容易にでき、かつ耐久性に優れたパレットの提供。【解決手段】パレット１は荷物を載置できる上板２、この上板２の図面下方に配置される下板３、上板２と下板３とを固定するとともに上板２を支える支持材４と、上板２の一部であって支持材４によって区画された爪挿入部６に設けられる可動部材５とから構成され、可動部材５は板状であり、上板と同一水平面を形成するように上板と同一水平面を形成でき、支持材の側面に設けられた係止部７に係止することでフォークリフトの爪が可動部材の上下に挿入できる。【選択図】図１
0003117834.tif 000002
【実用新案登録請求の範囲】
【請求項１】
荷物を載置できる上板と、この上板と下板とを固定すると共に荷物を載置できる荷物載置平面を形成できる複数の支持材と、この支持材の配列方向からフォークリフトの爪が挿入できる爪挿入部とを備えてなるパレットにおいて、
前記爪挿入部は可動部材を備え、該可動部材は、前記上板と同一水平面を形成でき、前記支持材の側面に設けられた係止部に係止することで前記フォークリフトの爪が可動部材の上下に挿入できることを特徴とするパレット。
【考案の詳細な説明】
【技術分野】
【０００１】
本考案はパレットに関する。
【背景技術】
【０００２】
フォークリフトによって荷物を搬送する際に用いられるパレットの一例を図４に示す。図４は一般的な従来のパレットの斜視図である。
パレット１１は上板２と下板３とが支持材４を介して固定されている。荷物は上板２上に載せられ、フォークリフトの爪が上板２、下板３および支持材４で区画されている空間に差し込まれて持ち上げられることにより、搬送される。
しかし、このパレット１１は、既に荷物が上板２上に載せられている場合にはパレットと荷物とを一緒に搬送できるが、荷物自体をフォークリフトの爪で持ち上げて直接パレット上に載置しようとすると、フォークリフトの爪が荷物と上板２との間に挟まってしまい抜けなくなるので、直接荷降ろしをフォークリフトだけで行なうことができない。この問題に対処するために、フォークリフトの爪差し込み口を有するパレットが開示されている（特許文献１）。
【０００３】
図５は、爪差し込み口を有するパレットの斜視図である。
このパレット１２は、荷物を載置可能な上板２を有し、その上板の下方に、昇降するフォークリフトの爪を側面から水平に差し込む爪差し込み部１３が形成されている。また、爪差し込み部には隔壁１４が設けられている。荷物を上板２上に載置する場合、フォークリフトの爪は爪差し込み部に差し込まれるので、荷物と上板２との間に挟まることがない。また、荷物が載せられたパレット１２を搬送する場合は、フォークリフトの爪を隔壁１４の下に、あるいは上板２の下に差し込んで作業する。
【０００４】
しかし、上記パレットは、パレット上面に段差を生じることになる。パレット上に大きな荷物をひとつ載せる場合にはよいが、例えば複数の荷物を組み合わせて積む場合には、パレット上面の段差のために安定が悪く荷崩れをおこすという問題がある。工場内等で使用される場合、広く用途が望めない。この問題を解決するパレットとして本考案者は、爪挿入部において、一方が回動自在に係合された端部となり他方が自由端となる可動部材を備えて形成され、回動自在に係合された端部は、支持材の荷物載置平面側上辺に固定された断面逆Ｌ字形アングル部材の内角部に支点を有して回動自在に係合されてなるパレットを提案している（特許文献２）。
【特許文献１】特開平１１−１３９４３２号公報
【特許文献２】特許第３２０９７３７号公報
【考案の開示】
【考案が解決しようとする課題】
【０００５】
しかしながら、特許文献２のパレットにおいても、フォークリフトの爪を爪挿入部に差し込むとき、フォークリフトが僅かによこにずれると爪の挿入が困難になるという問題がある。
本考案は、このような問題に対処するためになされたもので、パレットを用いた荷物の積み降ろしが容易にでき、かつ耐久性に優れたパレットを提供することを目的とする。
【課題を解決するための手段】
【０００６】
本考案は、荷物を載置できる上板と、この上板と下板とを固定すると共に荷物を載置できる荷物載置平面を形成できる複数の支持材と、この支持材の配列方向からフォークリフトの爪が挿入できる爪挿入部とを備えてなるパレットにおいて、上記爪挿入部が可動部材を備え、該可動部材が上板と同一水平面を形成でき、支持材の側面に設けられた係止部に係止することでフォークリフトの爪が可動部材の上下に挿入できることを特徴とする。
【考案の効果】
【０００７】
本考案のパレットは、爪挿入部が可動部材を備え、該可動部材が上板と同一水平面を形成でき、支持材の側面に設けられた係止部に係止することでフォークリフトの爪が可動部材の上下に挿入できるので、フォークリフトの爪挿入、抜き取り等、荷物の積み降ろしが容易にでき、かつ耐久性に優れる。
【考案を実施するための最良の形態】
【０００８】
本考案のパレットについて図に基づいて説明する。図１は本考案のパレットの一例を示す斜視図である。
パレット１は荷物を載置できる上板２、この上板２の図面下方に配置される下板３、上板２と下板３とを固定するとともに上板２を支える支持材４と、上板２の一部であって支持材４によって区画された爪挿入部６に設けられる可動部材５とから構成される。
可動部材５は板状であり、上板と同一水平面を形成するように上板と同一水平面を形成でき、支持材の側面に設けられた係止部７に係止することでフォークリフトの爪が可動部材の上下に挿入できる。
【０００９】
可動部材５の水平面が上下方向に移動できる一例を図２に示す。図２（ａ）は爪挿入部６の断面図であり、図２（ｂ）は可動部材５が荷物載置平面を形成したときの状態を示す断面図である。
【００１０】
可動部材５は爪挿入部を覆うことのできる長方形の板材を、支持材の配列方向の両端部を略直角に折り曲げて側面を形成している。可動部材５は、さらに折り曲げられたその一方の端部は爪挿入部６内側に向け鈎状部分５ａを形成して係止部７の可動部分７ａに係止される。また、他方の折り曲げられた端部は支持材４側に鈎状部分５ｂを形成し、支持材４に備えられた鈎状をなす補助部材８に係止できる。
【００１１】
係止部７は、支持材４の配列方向の側面に沿って備えられるものであり、細長い棒状の可動部分７ａの両端は溝部分７ｂの溝に係止される。
上記可動部分７ａに、可動部材５の鈎状部分５ａが、例えば把持する形で係止され、可動部材５と可動部材５の可動部分７ａは一体となり上下に移動する。
【００１２】
可動部材５は、可動部材５端部の鈎状部分５ｂが補助部材８に突き当たることで止まり、常に上板と同一水平面を形成する（図２（ｂ））。
一方可動部材５は、通常では、可動部分７ａが溝部分７ｂに沿って下方向へ移動し、それに伴い可動部材５も下方向に移動する（図２（ａ））。可動部分７ａは溝部分７ｂの最下部で止まる。
【００１３】
ひとつのパレットに通常フォークは２本差し込まれるため、爪挿入部６および可動部材５もそれぞれ一対設けられる。
左右一対取り付けられている可動部材５同士の距離は、フォークリフトの爪同士の幅の長さであればよい。荷物を上板２に載置したとき、フォークリフトの爪を抜き出す空間ができるように、左右一対の可動部材５が取り付けられていればよい。
【００１４】
本考案に係るパレット１は、上板２およびこの上板に支持材４、係止部７あるいは補助部材８を介して取り付けられている可動部材５を固定するために、下板３を設けることが好ましい。ただし、パレット１全体を一体に固定できれば、下板３を省略することができる。例えば、支持材４同士を図１に示す裏面で固定する、あるいは支持材４同士の下部をパイプ状部材で連結する等の方法により、パレット１全体を一体化できる。
【００１５】
パレット１の材質は、木、プラスチックス、金属等、あるいはこれらの組み合わせを用いることができる。また、可動部材５はフォークリフトの爪の上下動などに耐える強度、耐久性に優れた材質、例えば、合板、鉄板であることが好ましい。
【００１６】
本考案に係るパレット１を用いた荷物の搬送について図３により説明する。図３（ａ）〜図３（ｄ）は、パレット１の使用状態を示す断面図である。
工場あるいは倉庫からの荷物１０を搬送する場合、まずフォークリフトの爪９で支えている荷物１０をパレット１に載置する必要がある。そのため、爪挿入部６の真上にフォークリフトの爪９が位置するように、フォークリフトを操作する（図３（ａ））。
【００１７】
フォークリフトの爪９で支えたまま、荷物１０をパレット１に載置すると、可動部材５は爪９の厚さ分以上の隙間を有している。このため、爪９が上板２と荷物１０との間に挟まれることなく荷物１０をパレット１上に載置できる（図３（ｂ））。
【００１８】
荷物１０をパレット１に載置したまま、さらにフォークリフトの爪９を下方に移動させると、爪９が荷物１０より離れ、荷物１０が載置されたパレット１から爪９を容易に引き抜くことができる。爪９を引き抜いた後は、荷物１０が載置されたパレット１を搬送する場合、フォークリフトを前進後退させ、フォークリフトの爪９を容易に可動部材５の下に任意に挿入でき（図３（ｃ））、可動部材５の下の爪挿入部６にフォークリフトの爪９を差し込み持ち上げることにより、荷物１０が載置されたパレット１を安全、迅速に搬送でき、従来のパレットと同様に作業ができる（図３（ｄ））。
【００１９】
本考案においては、爪挿入部６に形成された可動部材の面と上板の面とが同一水平面であるので、フォークリフトの爪９で荷物１０を支えていることになり、可動部材５の水平面には、パレット１の荷重しかかからない。このため、爪挿入部６の中間部に隔壁を設ける場合と比較して、数トンの荷物を扱う場合であっても、パレット１に無理な負荷がかからないため、耐久性に優れたパレットが得られる。
【産業上の利用可能性】
【００２０】
本考案のパレットは、フォークリフトの爪挿入部に、パレット上板と同一水平面を形成し、該上板の上方向からの力がかかったときに上記水平面が下方向に移動できる可動部材を有するので、フォークリフトの爪挿入、抜き取り等、荷物の積み降ろしが容易にでき、かつ耐久性に優れたパレットとして好適に利用できる。
【図面の簡単な説明】
【００２１】
【図１】本考案のパレットの一例を示す斜視図である。
【図２】爪挿入部の断面図である。
【図３】パレットの使用状態を示す断面図である。
【図４】従来のパレットの斜視図である。
【図５】従来のパレットの斜視図である。
【符号の説明】
【００２２】
１  パレット
２  上板
３  下板
４  支持材
５  可動部材
６  爪挿入部
７  係止部
８  補助部材
９  フォークリフトの爪
１０  荷物
【図１】
0003117834.tif 000003
【図２】
0003117834.tif 000004
【図３】
0003117834.tif 000005
【図４】
0003117834.tif 000006
【図５】
0003117834.tif 000007